(57)【要約】      （修正有）【課題】製造コストが安価で、しかも、使用が簡単であり、その上、ズボンの染みを防ぐことができる男性用衛生パッドを提供する。【解決手段】男性用衛生パッド１は、一面に対象物が配置される吸水パッド２と、吸水パッドの他面に設けられている防水シート３と、を備える。また、凹部４が吸水パッドの一側縁から中央部にかけて設けられ、２本の折れ線５が設けられているのが好ましい。【選択図】図１
0003212768.tif 000002
【実用新案登録請求の範囲】
【請求項１】
一面に対象物が配置される吸水パッドと、
前記吸水パッドの他面に設けられている防水シートと、
を備える、
ことを特徴とする男性用衛生パッド。
【請求項２】
前記吸水パッドには、凹部が前記吸水パッドの一側縁から中央部にかけて設けられている、
ことを特徴とする請求項１に記載の男性用衛生パッド。
【請求項３】
前記吸水パッドには、２本の折れ線が設けられている、
ことを特徴とする請求項１に記載の男性用衛生パッド。
【請求項４】
前記吸水パッドには、凹部が前記吸水パッドの一側縁から中央部にかけて設けられていて、
前記吸水パッドの前記凹部の両側には、２本の折れ線が前記吸水パッドの一側縁から他側縁にかけて設けられている、
ことを特徴とする請求項１に記載の男性用衛生パッド。
【請求項５】
前記吸水パッドおよび前記防水シートを収容する収容袋を、備える、
ことを特徴とする請求項１〜４のいずれか１項に記載の男性用衛生パッド。
【考案の詳細な説明】
【技術分野】
【０００１】
本考案は、尿によるズボンやスラックスなど（以下、単に「ズボン」と称する）への染みや汚れなど（以下、単に「染み」と称する）を防ぐための男性用衛生パッドに関する。
詳しくは、本考案は、通常時にはシート形状をなしていて、使用時には用を足した後に、男性の陰茎（以下、この明細書および実用新案登録請求の範囲において、「対象物」と称する）を包み込むことにより、対象物をズボンの中に入れても、尿によるズボンへの染みを防ぐことができる男性用衛生パッドに関する。
【背景技術】
【０００２】
このような男性用衛生パッドとしては、たとえば、特許文献１がある。特許文献１の尿取りパッドは、透水性シートおよび不透水性シートの間に吸収体が装填された略長方形の使い捨ての尿取りパッドであって、該尿取りパッドの周縁に、粘着剤層を有するファスニングテープを複数個離間して突設したものである。
特許文献１の尿取りパッドは、通常時にはシート形状をなしていて、使用時には用を足した後に、対象物を包み込んで、ファスニングテープで止める。
【先行技術文献】
【特許文献】
【０００３】
【特許文献１】実用新案登録第３０３３１１５号公報
【考案の概要】
【考案が解決しようとする課題】
【０００４】
特許文献１の尿取りパッドは、粘着剤層を有するファスニングテープを複数個離間して突設したものであるから、製造コストが高く、しかも、ファスニングテープで止めるなど使用が面倒である。
【０００５】
本考案は、製造コストが安価で、しかも、使用が簡単であり、その上、ズボンの染みを防ぐことができる男性用衛生パッドを提供することにある。
【課題を解決するための手段】
【０００６】
本考案は、一面に対象物が配置される吸水パッドと、吸水パッドの他面に設けられている防水シートと、を備える、ことを特徴とするものである。
【０００７】
本考案は、吸水パッドには、凹部が吸水パッドの一側縁から中央部にかけて設けられている、ことが好ましい。
【０００８】
本考案は、吸水パッドには、２本の折れ線が設けられている、ことが好ましい。
【０００９】
本考案は、吸水パッドには、凹部が吸水パッドの一側縁から中央部にかけて設けられていて、吸水パッドの凹部の両側には、２本の折れ線が吸水パッドの一側縁から他側縁にかけて設けられている、ことが好ましい。
【００１０】
本考案は、吸水パッドおよび防水シートを収容する収容袋を、備える、ことが好ましい。
【考案の効果】
【００１１】
本考案の男性用衛生パッドは、製造コストが安価で、しかも、使用が簡単であり、その上、ズボンの染みを防ぐことができる。
【図面の簡単な説明】
【００１２】
【図１】本考案の実施形態１に係る男性用衛生パッドを示す男性用衛生パッド本体および収容袋の平面図である。
【図２】男性用衛生パッドを示す縦断面図である。（Ａ）は、図１におけるＩＩＡ−ＩＩＡ線断面図である。（Ｂ）は、図１におけるＩＩＢ−ＩＩＢ線断面図である。
【図３】使用状態を示す平面図である。
【図４】使用状態を示す側面図であって、図３におけるＩＶ矢視図である。
【図５】男性用衛生パッドを２本の折れ線に沿って折り曲げた状態を示す平面図である。
【図６】男性用衛生パッドを補助折れ線に沿って折り曲げて、男性用衛生パッドで対象物を包み込んだ状態を示す平面図である。
【図７】本考案の実施形態２に係る男性用衛生パッドを示す男性用衛生パッド本体の平面図である。
【図８】本考案の実施形態３に係る男性用衛生パッドを示す男性用衛生パッド本体の平面図である。
【図９】本考案の実施形態４に係る男性用衛生パッドを示す男性用衛生パッド本体の平面図である。
【考案を実施するための形態】
【００１３】
以下、本考案に係る男性用衛生パッドの実施形態の４例について、図面を参照しながら詳細に説明する。なお、図面は、概略図であって、図２（Ａ）、（Ｂ）において、ハッチングを省略してある。
【００１４】
（実施形態１の構成の説明）
図１〜図６は、本考案に係る男性用衛生パッドの実施形態１を示す。以下、この実施形態１の構成について説明する。
【００１５】
（男性用衛生パッド１の構成部品の説明）
この実施形態１に係る男性用衛生パッド１は、図１に示すように、吸水パッド２と、防水シート３と、収容袋６と、を備える。男性用衛生パッド１は、図３〜図６に示すように、対象物７を包み込むのに十分の大きさを有する。男性用衛生パッド１の素材は、特に限定しないが、使用後には燃えるごみとして処理する（捨てる）ことができる素材が好ましい。
【００１６】
吸水パッド２は、図２（Ａ）、（Ｂ）に示すように、トップシート（表面シート）２０と、バックシート（裏面シート）２１と、吸水体２２と、を有する。吸水パッド２の一面すなわちトップシート２０には、対象物７が配置される。
吸水パッド２は、この例では、上から見て横長の長方形形状をなす。吸水パッド２の４角には、円弧形状の面取りが施されている。
なお、吸水パッド２は、横長の長方形形状以外の形状であっても良い。
【００１７】
トップシート２０は、尿を透過させる透水性の素材、この例では、合成繊維製の不織布などのシートからなる。
バックシート２１は、吸水体２２で吸収されている尿を透過させない不透水性の素材、この例では、防水紙など、あるいは、ポリエチレンやポリプロピレンなどの合成樹脂製のシートからなる。
トップシート２０の全周の縁２３とバックシート２１の全周の縁とは、接着されている。この結果、トップシート２０とバックシート２１との中央部分は、中空状をなす。
吸水体２２は、トップシート２０とバックシート２１との中空状の中央部分の中に装填されている。吸水体２２は、この例では、綿、パルプ、高吸水性樹脂などからなる。
【００１８】
防水シート３は、図１、図２に示すように、吸水パッド２の他面すなわちバックシート２１にたとえば接着などにより設けられている。防水シート３は、この例では、上から見て縦長の長方形形状をなす。
防水シート３は、バックシート２１と同様に、吸水パッド２で吸収されている尿を透過させない不透水性の素材、この例では、防水紙など、あるいは、ポリエチレンやポリプロピレンなどの合成樹脂製のシートからなる。
なお、防水シート３は、縦長の長方形形状以外の形状であっても良い。
【００１９】
吸水パッド２には、凹部４が吸水パッド２の一側縁（一長辺）の中間部分から中央部にかけて設けられている。凹部４の吸水パッド２の一側縁から中央部までの間は、ほぼ平行な２本の直線からなり、凹部４の吸水パッド２の中央部の先端は、半円形形状をなす。なお、凹部４の形状は、特に限定しない。
【００２０】
吸水パッド２の凹部４の左右両側には、２本の折れ線５が吸水パッド２の一側縁から他側縁（他長辺）にかけて全幅に亘って設けられている。
なお、２本の折れ線５は、吸水パッド２の一側縁から他側縁にかけて一部の幅に設けたものでも良い。
また、２本の折れ線５は、図１に示すように、破線状に設けても良いし、直線状に設けても良い。
【００２１】
吸水パッド２のうち他側縁側の部分には、１本の補助折れ線５０が２本の折れ線５に対して直交するように全幅に亘って設けられている。
なお、１本の補助折れ線５０は、２本の折れ線５と同様に、吸水パッド２の一部の幅に設けたものでも良い。
また、１本の補助折れ線５０は、図１において、二点鎖線にて図示されているが、２本の折れ線５と同様に、破線状もしくは直線状をなす。
さらに、１本の補助折れ線５０は、図３〜図５において、図示されていない。
【００２２】
収容袋６は、吸水パッド２および防水シート３を収容する。収容袋６の素材は、特に限定しないが、吸水パッド２で吸収した尿が外に漏れないような素材が好ましい。
収容袋６は、図１に示すように、開口６０を有する。開口６０は、予め収容袋６に設けられていても良いし、使用時に収容袋６に設けても良い。たとえば、密閉状態の収容袋６の一部を切り取って開口６０を設ける。
また、収容袋６は、予め未使用の吸水パッド２および防水シート３が収容されていて一体でも良いし、吸水パッド２および防水シート３と別個でも良い。
【００２３】
（実施形態１の使用例の説明）
この実施形態１に係る男性用衛生パッド１は、以上のごとき構成からなり、以下、その一使用例について説明する。
【００２４】
この実施形態１に係る男性用衛生パッド１は、通常時において、図１に示すように、シート形状をなすので、携帯に便利である。
用を足す使用時においては、この実施形態１に係る男性用衛生パッド１が収容袋６中に密閉されている場合、収容袋６の一部を切り取って開口６０を形成し、その開口６０を介して収納袋６中からこの実施形態１に係る男性用衛生パッド１を取り出す。
あるいは、この実施形態１に係る男性用衛生パッド１が開口６０を有する収容袋６中に収容されている場合、開口６０を介して収納袋６中からこの実施形態１に係る男性用衛生パッド１を取り出す。
あるいは、この実施形態１に係る男性用衛生パッド１が収容袋６と別個の場合、この実施形態１に係る男性用衛生パッド１をそのまま使用に供する。
【００２５】
そして、用を足した後、男性用衛生パッド１の吸水パッド２の一面のトップシート２０で対象物７の先の尿を拭き取る。
すなわち、図３、図４に示すように、吸水パッド２の凹部４を対象物７側に向けて、吸水パッド２の一面のトップシート２０上に対象物７を乗せる。
この時、凹部４により、対象物７を、吸水パッド２の所定の位置、すなわち、吸水パッド２の中央部分に、簡単に確実に位置させることができる。
【００２６】
それから、図５に示すように、男性用衛生パッド１の吸水パッド２および防水シート３の左右両側部分を、２本の折れ線５に沿って吸水パッド２および防水シート３の中央部分側に折って、対象物７の上に重ねる。
この時、２本の折れ線５により、吸水パッド２および防水シート３の左右両側部分を対象物７の上に、簡単にかつ確実に重ねることができる。
【００２７】
さらに、図６に示すように、吸水パッド２および防水シート３の対象物７に対して反対側の部分を、１本の補助折れ線５０に沿って対象物７側に折って、対象物７の上に重なっている吸水パッド２および防水シート３の上にさらに２重に重ねる。
この時、１本の補助折れ線５０により、吸水パッド２および防水シート３の対象物７に対して反対側の部分を、対象物７の上に重なっている吸水パッド２および防水シート３の上に、簡単にかつ確実に２重に重ねることができる。
【００２８】
このようにして、用を足した後の対象物７を男性用衛生パッド１で包み込む。そして、男性用衛生パッド１で包み込まれた対象物７を男性用衛生パッド１と共にズボン（図示せず）の中に入れる。
ここで、用を足した後の対象物７から尿が漏れた場合、この尿は、吸水パッド２のトップシート２０を透過して吸水体２２に吸収される。吸水体２２に吸収され尿は、バックシート２１および防水シート３により、男性用衛生パッド１の外側に出ることが無い。
【００２９】
男性用衛生パッド１は、１回の使用もしくは複数回の使用後、収容袋６中に開口６０から収容して捨てる。
なお、用を足した後、男性用衛生パッド１で対象物７の先の尿を拭き取らずに、直接、男性用衛生パッド１で対象物７を包み込んでも良い。
また、用を足す時に、男性用衛生パッド１を対象物７に沿わせても良い。この場合には、対象物７からの放尿が思わぬ方向にまたは意図せぬ方向に飛散しても、この飛散した尿を男性用衛生パッド１で吸収することができるので、ズボンに染みを付けず、ズボンを汚すことが無い。
【００３０】
（実施形態１の効果の説明）
本考案の実施形態１に係る男性用衛生パッド１は、以上のごとき構成、使用例からなり、以下、その効果について説明する。
【００３１】
本考案の実施形態１に係る男性用衛生パッド１は、一面に対象物７が配置される吸水パッド２と、吸水パッド２の他面に設けられている防水シート３と、を備えるものである。この結果、本考案の実施形態１に係る男性用衛生パッド１は、製造コストが安価である。
しかも、本考案の実施形態１に係る男性用衛生パッド１は、用を足した後に、対象物７を包み込むだけであるから、使用が簡単である。
【００３２】
その上、本考案の実施形態１に係る男性用衛生パッド１は、用を足した後に、対象物７を包み込んだ状態でズボンの中に入れるので、対象物７から尿が漏れたとしても、その尿を吸水パッド２で吸収することができる。この結果、本考案の実施形態１に係る男性用衛生パッド１は、対象物７から漏れた尿により、ズボンの前側で対象物７が位置する側を汚して染みとなるのを確実に防ぐことができる。すなわち、ズボンの染みを防ぐことができる。
特に、加齢に伴い、いわゆる、放尿時のキレの悪さのため残尿が対象物７に滞り、対象物７をズボンに収納する時や収納後に、残尿が対象物７から漏れて対象物７の周辺のズボンに染みを付けて、ズボンを汚すことが無い。
【００３３】
本考案の実施形態１に係る男性用衛生パッド１は、吸水パッド２には、凹部４が吸水パッド２の一側縁から中央部にかけて設けられている。この結果、本考案の実施形態１に係る男性用衛生パッド１は、凹部４により、用を足した後の対象物７を吸水パッド２の所定の位置すなわち中央部分に確実に位置させることができる。これにより、本考案の実施形態１に係る男性用衛生パッド１は、用を足した後の対象物７を確実に包み込むことができるので、対象物７から漏れる尿によるズボンの染みを確実に防ぐことができる。
【００３４】
また、本考案の実施形態１に係る男性用衛生パッド１は、吸水パッド２には、２本の折れ線５が設けられている。この結果、本考案の実施形態１に係る男性用衛生パッド１は、２本の折れ線５により、吸水パッド２および防水シート３の左右両側部分を、吸水パッド２および防水シート３の中央部分側に折って、用を足した後の対象物７の上に簡単にかつ確実に重ねることができる。これにより、本考案の実施形態１に係る男性用衛生パッド１は、用を足した後の対象物７を確実に包み込むことができるので、対象物７から漏れる尿によるズボンの染みを確実に防ぐことができる。
【００３５】
さらに、本考案の実施形態１に係る男性用衛生パッド１は、吸水パッド２のうち他側縁側の部分には、１本の補助折れ線５０が２本の折れ線５に対して直交するように設けられている。この結果、本考案の実施形態１に係る男性用衛生パッド１は、１本の補助折れ線５０により、吸水パッド２および防水シート３の対象物７に対して反対側の部分を、対象物７側に折って、用を足した後の対象物７の上に重なっている吸水パッド２および防水シート３の上に、簡単にかつ確実に２重に重ねることができる。これにより、本考案の実施形態１に係る男性用衛生パッド１は、用を足した後の対象物７を確実に包み込むことができるので、対象物７から漏れる尿によるズボンの染みを確実に防ぐことができる。
【００３６】
本考案の実施形態１に係る男性用衛生パッド１は、収容袋６を備えるものであるから、使用後の吸水パッド２および防水シート３を収容袋６中に収容して捨てることができ、衛生的である。
【００３７】
（実施形態２の説明）
図７は、本考案に係る男性用衛生パッドの実施形態２を示す。以下、本考案の実施形態２に係る男性用衛生パッド１Ａについて説明する。図中、図１〜図６と同符号は、同一のものを示す。
【００３８】
前記の実施形態１に係る男性用衛生パッド１は、吸水パッド２に凹部４、２本の折れ線５および１本の補助折れ線５０を設けたものである。これに対して、この実施形態２に係る男性用衛生パッド１Ａは、吸水パッド２に凹部４を設けたものである。
この実施形態２に係る男性用衛生パッド１Ａは、前記の実施形態１に係る男性用衛生パッド１とほぼ同様の効果を達成することができる。
【００３９】
（実施形態３の説明）
図８は、本考案に係る男性用衛生パッドの実施形態３を示す。以下、本考案の実施形態３に係る男性用衛生パッド１Ｂについて説明する。図中、図１〜図７と同符号は、同一のものを示す。
【００４０】
前記の実施形態１に係る男性用衛生パッド１は、吸水パッド２に凹部４、２本の折れ線５および１本の補助折れ線５０を設けたものである。これに対して、この実施形態３に係る男性用衛生パッド１Ｂは、吸水パッド２に２本の折れ線５および１本の補助折れ線５０を設けたものである。
この実施形態３に係る男性用衛生パッド１Ｂは、前記の実施形態１、２に係る男性用衛生パッド１、１Ａとほぼ同様の効果を達成することができる。
【００４１】
（実施形態４の説明）
図９は、本考案に係る男性用衛生パッドの実施形態４を示す。以下、本考案の実施形態４に係る男性用衛生パッド１Ｃについて説明する。図中、図１〜図８と同符号は、同一のものを示す。
【００４２】
前記の実施形態１に係る男性用衛生パッド１は、吸水パッド２に凹部４、２本の折れ線５および１本の補助折れ線５０を設けたものである。また、前記の実施形態２に係る男性用衛生パッド１Ａは、吸水パッド２に凹部４を設けたものである。さらに、前記の実施形態３に係る男性用衛生パッド１Ｂは、吸水パッド２に２本の折れ線５および１本の補助折れ線５０を設けたものである。
これに対して、この実施形態４に係る男性用衛生パッド１Ｃは、吸水パッド２がそのままである。
この実施形態４に係る男性用衛生パッド１Ｃは、前記の実施形態１、２、３に係る男性用衛生パッド１、１Ａ、１Ｃとほぼ同様の効果を達成することができる。
【００４３】
（その他の実施形態の説明）
上述した実施形態１〜４は、その要旨を逸脱しない限りにおいて、様々に変更が可能である。
たとえば、上述の実施形態１〜４においては、吸水パッド２がトップシート２０と、バックシート２１と、吸水体２２と、を有するものである。しかしながら、本考案においては、吸水パッド２が少なくとも吸水体２２を有するものであれば良い。
【００４４】
また、上述の実施形態１、３においては、吸水パッド２に２本の折れ線５および１本の補助折れ線５０を設けたものである。しかしながら、本考案においては、防水シート３にも２本の折れ線５および１本の補助折れ線５０を設けたものであっても良い。
【００４５】
さらに、上述の実施形態１〜４においては、収容袋６を備えるものである。しかしながら、本考案においては、収容袋６を備えていない場合でも良い。この場合においては、使用後の男性用衛生パッド１、１Ａ、１Ｂ、１Ｃを、そのまま、または、収容袋６の代わりに他の袋の中に収容してから捨てる。
【符号の説明】
【００４６】
１、１Ａ、１Ｂ、１Ｃ…男性用衛生パッド
２…吸水パッド
２０…トップシート
２１…バックシート
２２…吸水体
２３…縁
３…防水シート
４…凹部
５…折れ線
５０…補助折れ線
６…収容袋
６０…開口
７…対象物
【図１】
0003212768.tif 000003
【図２】
0003212768.tif 000004
【図３】
0003212768.tif 000005
【図４】
0003212768.tif 000006
【図５】
0003212768.tif 000007
【図６】
0003212768.tif 000008
【図７】
0003212768.tif 000009
【図８】
0003212768.tif 000010
【図９】
0003212768.tif 000011